(57)【要約】【課題】スイッチ動作用の突状部による反射光の減少の問題を構成簡単にして解決したテンキー照明用の導光シートを提供すること。【解決手段】  透明板の一側端に備えた光源（ＬＥＤ１５、１６）から光を入射し、その板面方向にテンキーの照明光を反射させると共に、板面に多数の透明な突状部２０を有し、テンキー操作にしたがう突状部２０の変位に応動して回路基板１１のドームスイッチ１７を動作させるテンキー照明用の導光シートにおいて、シートの全面には、熱転写反射パターン２４を形成し、光源から離れたシート面部分には、熱転写反射パターン２４に加えて印刷ドット反射パターン２５を形成した構成としてある。【選択図】図１
2009229794.tif 000002
【特許請求の範囲】
【請求項１】
透明板の一側端に備えた光源から光を入射し、その板面方向にキーの照明光を反射させると共に、板面に多数の透明な突状部を有し、キー操作にしたがう突状部の変位に応動してスイッチ動作させる構成の導光板において、
主の反射パターンとして、指向性成分の多い反射光の第１の反射パターンを設ける他、光源から離れた面部分には、前記第１の反射パターンに加えて拡散性成分の多い反射光の第２の反射パターンを設けたことを特徴とするキー照明用導光板。
【請求項２】
請求項１に記載した導光板において、
第１の反射パターンとして、熱転写反射パターンを設け、第２の反射パターンとして、印刷ドット反射パターンを設けたことを特徴とするキー照明用導光板。
【請求項３】
請求項２に記載した導光板において、
前記透明板と突状部の間を含む面部分に印刷ドット反射パターンを設けたことを特徴とするキー照明用導光板。
【請求項４】
請求項１乃至３のいずれかに記載した導光板において、
光源から離れるにしたがい、第１、第２の反射パターンの密度を高めたことを特徴とするキー照明用導光板。
【発明の詳細な説明】
【技術分野】
【０００１】
本発明は、携帯端末機などのキーパッドに備えるキー照明用の導光板に関し、特に、照明輝度を高めると共に、ムラのないキー照明を可能としたものである。
【背景技術】
【０００２】
図６は、携帯電話機に備えられているキーパッドの簡略的な機構図で、このキーパッドは、回路基板１１、反射シート１２、導光シート（導光板）１３、キーシート１４から構成されている。
具体的には、図８に示すように、回路基板（ＦＰＣ）１１には、その一端面側に光源としての２つＬＥＤ（発光ダイオード）１５、１６が設けてあり、また、この回路基板１１には、キーシート１４のキーに対応する多数のドームスイッチ１７が設けてある。
【０００３】
ドームスイッチ１７は、図７に拡大して示したように、回路基板１１に設けた固定電極１７ａとドーム形の可動電極１７ｂから構成されている。
また、反射シート１２は回路基板１１に重合して配設し、その上に、両面接着テープ１８によって導光シート１３が固着されている。
【０００４】
導光シート１３は、ＬＥＤ１５、１６の発光光をその一側端１３ａから入射させる構成のエッジライトタイプの導光板となっている。
そして、この導光シート１３は透過率の高い樹脂材などからなる透明板で、下面には熱転写形成の反射パターン１９が設けられている。
すなわち、パターン形成金型を用いて導光シート１３に熱転写して反射パター
１９が形成してある。
【０００５】
また、導光シート１３の下面にはキーシート１４のキーに対応する多数の突状部２０が設けてある。
この突状部２０は、図７に示す通り、透過率の高い材料（透明材）でほぼ半球状に形成して導光シート１３に固着したもので、ドームスイッチ１７を覆う反射シート１２に接触している。
【０００６】
さらに、導光シート１３の上面には、遮光テープ２１と、キーシート１４が設けてある。
なお、キーシート１４には、数字、文字、図柄などが光学的に浮き出るようにした多数のテンキー２２を有している。
【０００７】
上記のように構成されたキーパッドは、ＬＥＤ１５、１６の発光光が導光シート１３に入射すると、その光が直進、反射しなら導光シート内に広がり、図９に示すように、反射パターン１９によって板面側に反射され、キーシート１４に向かって進む。
したがって、テンキー２２が反射光によって照明され、光学的に表示される。
【０００８】
上記したキーパッドはテンキー２２を指先で押すことで、そのテンキーが位置する導光シート部分が下方に変位し、したがって、突状部２０によって応動された可動電極１７ｂが固定電極１７ａに接触し、操作されたテンキー２２に対応するドームスイッチ１７がスイッチ動作する。
なお、テンキー２２の操作を解放すれば、導光シート１３が弾性力で復動し、ドームスイッチ１７が非動作となる。
【０００９】
一方、導光シート１３に入射したＬＥＤ１５、１６の発光光は、ＬＥＤから離れるほど減衰するため、導光シート１３の一端側面部分の反射光Ａ１に比べてその他端側の面部分の反射光Ａ２が弱くなり、均一な照明が期待できない。
そこで、今日では、図１０に示すように、ＬＥＤ１５、１６から離れるほど密度を高くした反射パターン１９を形成することによって、反射光Ａ２としての光量を増加させ可能なるかぎり均一な照明を得るようにしたものがある。
【００１０】
【特許文献１】特開２００６―３２３８４３号公報
【特許文献２】特開平０８―２５４６１５号公報
【発明の開示】
【発明が解決しようとする課題】
【００１１】
導光シートの反射パターンとしては、熱転写反射パターンと印刷ドット反射パターンが広く知られている。
熱転写反射パターンは、既に述べたように、パターン形成金型を用いて導光シートに熱転写して形成した反射パターンで、印刷ドット反射パターンは、導光シートに白色系ドットを印刷して形成する反射パターンである。
【００１２】
したがって、印刷ドット反射パターンは、反射光が拡散する拡散性成分の多い反射パターンとなるため、均一な照明には有利である反面、光路長を長くすることができなく、また、ドットの色濃度、パターン濃度調整のために数回の印刷工程が必要になる。
これに対し、熱転写反射パターンは、高精細なパターンの形成が容易で、光路長が長く、指向性成分の多い反射光の反射パターンとなる。
【００１３】
ところで、上記した従来の導光シート１３は、熱転写反射パターン１９を設けたものであり、光路長を長くすることができるが、しかしながら、突上部２０が設けられているため、この突上部２０の影響を受けて反射光が減少する。
すなわち、突状部２０は透明材で形成されているため、図１１に示すように、導光シート１３内を伝播する光ａが反射パターン１９を通り抜けて突状部２０内に入り、この突状部２０で反射したり、突状部２０外に射出する作用があり、この結果、突状部２０が位置する部所の反射光ｂが減少する。
【００１４】
このように突状部２０による反射光の減少によって照明にムラが生じるが、ＬＥＤ１５、１６の発光光がこれら光源から離れるほど減衰することと、突状部２０によって反射光が減少することとが重なるために、この反射光の減少による影響は、光源に近いところに比べ光源から離れるほど顕著に表れる。
具体的には、ＬＥＤ１５、１６より離れた突状部２０が位置する導光シート部所の反射光が減少するために、導光シート１３の一端側に対応するテンキー２２に比べて他端側に対応するテンキー２２の照明が暗くなる。
【００１５】
上記の実情にかんがみ、本発明は、スイッチ動作用の突状部による反射光の減少の問題を構成簡単にして解決したキー照明用の導光板を提供することを目的とする。
【課題を解決するための手段】
【００１６】
上記した目的を達成するため、本発明では、透明板の一側端に備えた光源から光を入射し、その板面方向にキーの照明光を反射させると共に、板面に多数の透明な突状部を有し、キー操作にしたがう突状部の変位に応動してスイッチ動作させるエッジライトパネル構成の導光板に関する。
【００１７】
そして、この導光板は、主の反射パターンとして、指向性成分の多い反射光の第１の反射パターンを設ける他、光源から離れた面部分には、前記第１の反射パターンに加えて拡散性成分の多い反射光の第２の反射パターンを設けた構成としてある。
【００１８】
上記した第１の反射パターンとして、熱転写反射パターンを設け、第２の反射パターンとして、印刷ドット反射パターンを設けることができる。
また、前記透明板と突状部の間を含む面部分に印刷ドット反射パターンを設けることが好ましい。
さらに  光源から離れるにしたがい、第１、第２の反射パターンの密度を高める構成とすることができる。
【発明の効果】
【００１９】
本発明の導光板は、主の反射パターンとして指向性成分の多い反射光の第１の反射パターンを設け、光路長の長い反射光を得るようになっている。
したがって、光源から近い導光板部分に位置する突状部によって生じる反射光の減少は、第１の反射パターンの特性によってその減少の影響が少ない。
【００２０】
しかしながら、光源からの入射光は、光源から離れる程減衰するため、光源から離れた導光板部分に位置する突状部によって生じる反射光の減少が大きく影響する。
そのため、本発明の導光板は、光源から離れた導光板部分には、第１の反射パターンに加えて第２の反射パターンを設け、第２の反射パターンの特性によって反射光量を増加させ、突状部による反射光の減少と、光源からの光の減衰作用を補い、可能なるかぎりムラのない照明を提供する構成としてある。
【００２１】
第１の反射パターンとして熱転写反射パターンを設け、第２の反射パターンとして印刷ドット反射パターンを設ければ、これら第１、第２反射パターンの長所を採用したパターンを形成することができ、また、第１、第２の反射パターンのパターン密度を光源から離れるほど高くすることによって、照明の輝度と均一さを一層向上させることができる。
【発明を実施するための最良の形態】
【００２２】
次に、携帯電話機に備えるキーパッドとして実施した一実施形態について説明する。
図１は簡略的に示したキーパッドの機構図、図２は同キーパッドの部分的な断面図である。
このキーパッドは、回路基板１１、反射シート１２、キーシート１４、２つのＬＥＤ（発光ダイオード）１５、１６、導光シート（導光板）２３などの各構成部品から構成してあり、図６に示した従来例のキーパッドと比べ第1、第2の反射パターンを設けた導光シート２３を備えことが特徴となっている。
【００２３】
すなわち、本実施形態のキーパッドに備える導光シート２３は、その一面全体に第１の反射パターンとして、指向性成分の多い反射光の熱転写反射パターン２４が形成してあり、また、光源であるＬＥＤ１５、１６より離れたその一面部分２３ｂには、図２に拡大して示した如く、第２の反射パターンとして、拡散性成分の多い反射光の印刷ドット反射パターン２５が形成してある。
【００２４】
そして、上記のようにして熱転写反射パターン２４と印刷ドット反射パターン２５とを形成した後、透明材でほぼ半球状に形成した多数の突状部２０を導光シート２３の一面に固着し、ＬＥＤ１５、１６から離れた面部分２３ｂでは、反射パターン２４、２５、或いは、反射パターン２４又は反射パターン２５が導光シート２３の一面と突状部２０との間にも配設されるようにしてある。
【００２５】
上記の導光シート２３は、光源から近い面部分２３ａでは、図３に示す如く、熱転写反射パターン２４によって反射するから、光路長の長い反射光Ａ１によってテンキー（キー）２２が照明される。
また、光源から離れた面部分２３ｂでは、図４に示す如く、熱転写反射パターン２４と印刷ドット反射パターン２５とで反射されるから、熱転写反射パターン２４の反射光Ａ３に加えて印刷ドット反射パターン２５の反射光Ａ３が発生し、
指向性成分の多い反射光Ａ２と拡散成分の多い反射光Ａ３とが加わって反射光量が増加し、その反射光によってテンキー２２が照明される。
【００２６】
このことから、上記の導光シート２３を備えれば、光源から離れた面部分の突状部２０による反射光の減少を防ぐことができるから、ムラのない照明光となり、キ−シート１４の全体のテンキー２２に対し可能なるかぎり均一化した照明ができるキーパッドの提供が可能になる。
【００２７】
他方、導光シート２３に入射した光源の光の減衰の影響があるときは、図５に示したように、熱転写反射パターン２４と印刷ドット反射パターン２５、或いは、それらの一方の反射パターンの形成密度を光源から離れるにしたがって順次高くすることが好ましい。
【産業上の利用可能性】
【００２８】
携帯電話機などの携帯端末機に備えるキーパッドに適用できる。
【図面の簡単な説明】
【００２９】
【図１】一実施形態として示したキーパッドの簡略的な機構図である。
【図２】上記キーパッドの部分的な断面図である。
【図３】上記キーパッドに備える導光シートの光源に近い面部分における反射光を示す説明図である。
【図４】上記キーパッドに備える導光シートの光源から離れた面部分における反射光を示す説明図である。
【図５】他の実施形態として示したキーパッドの簡略的な部分機構図である。
【図６】従来例として示したキーパッドの簡略的な機構図である。
【図７】上記従来例のキーパッドの部分的な拡大断面図である。
【図８】上記従来例のキーパッドの分解斜視図である。
【図９】上記従来例のキーパッドに備える導光シートの反射光を示す説明図である。
【図１０】他の従来例を示したキーパッドの簡略的な部分機構図である。
【図１１】従来のキーパッドに備える導光シートが突状部によって減少する反射光を説明するための説明図である。
【符号の説明】
【００３０】
１１  回路基板
１２  反射シート
１４  キーシート
１５、１６  ＬＥＤ
１７  ドームスイッチ
２０  突状部
２２  テンキー
２３  導光シート
２４  熱転写反射パターン
２５  印刷ドット反射パターン
【図１】
2009229794.tif 000003
【図２】
2009229794.tif 000004
【図３】
2009229794.tif 000005
【図４】
2009229794.tif 000006
【図５】
2009229794.tif 000007
【図６】
2009229794.tif 000008
【図７】
2009229794.tif 000009
【図８】
2009229794.tif 000010
【図９】
2009229794.tif 000011
【図１０】
2009229794.tif 000012
【図１１】
2009229794.tif 000013